(57)【要約】【課題】煩雑な操作を行うことなく、しかも、波形表示領域内に不要な余白領域を生じさせることのないように、波形データに基づく信号波形の全体を波形表示領域に表示させる。【解決手段】波形データに基づいて所定時間長の信号波形を波形表示領域に表示させる制御部を備えた波形表示装置であって、制御部は、波形表示領域に規定されている信号波形の基準表示時間長よりも波形データの記録時間長が長いときに（ステップ２４）、波形表示領域における時間軸方向の全域に亘って記録時間長の信号波形が表示される第１の表示倍率で波形データに基づく信号波形を時間軸方向に縮小して波形表示領域に表示させる（ステップ２５）。【選択図】図３
2010197120.tif 000002
【特許請求の範囲】
【請求項１】
波形データに基づいて所定時間長の信号波形を波形表示領域に表示させる制御部を備えた波形表示装置であって、
前記制御部は、前記波形表示領域に規定されている前記信号波形の基準表示時間長よりも前記波形データの記録時間長が長いときに、前記波形表示領域における時間軸方向の全域に亘って当該記録時間長の前記信号波形が表示される第１の表示倍率で当該波形データに基づく前記信号波形を当該時間軸方向に縮小して当該波形表示領域に表示させる波形表示装置。
【請求項２】
入力信号についての電気的パラメータを測定して前記波形データを出力する測定処理を実行する測定部を備え、
前記制御部は、前記測定部による前記測定処理と並行して、前記測定部から出力されている前記波形データに基づく信号波形を前記第１の表示倍率で前記時間軸方向に縮小して前記波形表示領域に表示させる請求項１記載の波形表示装置。
【請求項３】
前記制御部は、前記基準表示時間長よりも前記記録時間長が短いときに、前記波形表示領域における前記時間軸方向の全域に亘って当該記録時間長の前記信号波形が表示される第２の表示倍率で前記波形データに基づく前記信号波形を当該時間軸方向に拡大して当該波形表示領域に表示させる請求項１記載の波形表示装置。
【請求項４】
入力信号についての電気的パラメータを測定して前記波形データを出力する測定処理を実行する測定部を備え、
前記制御部は、前記測定部による前記測定処理と並行して、前記測定部から出力されている前記波形データに基づく信号波形を前記第２の表示倍率で前記時間軸方向に拡大して前記波形表示領域に表示させる請求項３記載の波形表示装置。
【請求項５】
波形データに基づいて所定時間長の信号波形を波形表示領域に表示させる波形表示方法であって、
前記波形表示領域に規定されている前記信号波形の基準表示時間長よりも前記波形データの記録時間長が長いときに、前記波形表示領域における時間軸方向の全域に亘って当該記録時間長の前記信号波形が表示される第１の表示倍率で当該波形データに基づく前記信号波形を当該時間軸方向に縮小して当該波形表示領域に表示させる波形表示方法。
【請求項６】
入力信号についての電気的パラメータを測定して前記波形データを出力する測定処理を実行すると共に、当該測定処理と並行して、出力されている前記波形データに基づく信号波形を前記第１の表示倍率で前記時間軸方向に縮小して前記波形表示領域に表示させる請求項５記載の波形表示方法。
【請求項７】
前記基準表示時間長よりも前記記録時間長が短いときに、前記波形表示領域における前記時間軸方向の全域に亘って当該記録時間長の前記信号波形が表示される第２の表示倍率で前記波形データに基づく前記信号波形を当該時間軸方向に拡大して当該波形表示領域に表示させる請求項５記載の波形表示方法。
【請求項８】
入力信号についての電気的パラメータを測定して前記波形データを出力する測定処理を実行すると共に、当該測定処理と並行して、出力されている前記波形データに基づく信号波形を前記第２の表示倍率で前記時間軸方向に拡大して前記波形表示領域に表示させる請求項７記載の波形表示方法。
【発明の詳細な説明】
【技術分野】
【０００１】
本発明は、波形データに基づく信号波形を表示させる波形表示装置および波形表示方法に関するものである。
【背景技術】
【０００２】
例えば、特開２００２−２５７８６４号公報に開示されている波形表示装置では、波形データに基づく信号波形と、時間軸上の任意の位置を指し示すラインとを表示画面内の波形表示領域に表示させると共に、表示させた信号波形に関連する文字列（例えば、上記のラインによって指し示した時間に関するメモ）を波形表示領域の外に表示させる構成が採用されている。また、この波形表示装置では、上記の信号波形の時間軸方向の表示倍率を任意の倍率（「波形表示領域の基準表示時間長」に対する「波形表示領域に表示させる信号波形の時間長」：例えば、「等倍」や「１／５倍」）に設定して表示することができるように構成されている。さらに、この波形表示装置では、上記のラインに対する文字列の表示位置を任意に変更することができるように構成されている。これにより、この波形表示装置では、表示画面内の狭い範囲内に複数の文字列（マーク）を表示させる際の文字列の重なりを少なくしたり、文字列の重なり順序を変更したりして、表示した文字列を容易に認識させることが可能となっている。
【先行技術文献】
【特許文献】
【０００３】
【特許文献１】特開２００２−２５７８６４号公報（第２−３頁、第１図）
【発明の概要】
【発明が解決しようとする課題】
【０００４】
ところが、従来の波形表示装置には、以下の問題点が存在する。すなわち、従来の波形表示装置では、時間軸方向の表示倍率を任意の倍率に設定して信号波形を表示することができる構成を採用している。この場合、この種の波形表示装置では、上記の時間軸方向の表示倍率として、「１／１０倍」、「１／５倍」、「１／２倍」、「等倍」、「２倍」、「５倍」および「１０倍」等の複数種類の倍率が規定され、これらの規定された倍率のなかから任意の表示倍率を選択して信号波形を表示させる構成が採用されている。これに対して、信号波形の基となる波形データの記録時間長については、目的に応じて利用者が任意の時間長に設定したり、利用者が任意のタイミングでストップスイッチを操作した時点において記録処理を終了させたりすることが可能となっている。このため、この種の波形表示装置の使用に際しては、信号波形を表示させる波形表示領域の基準表示時間長が例えば１０秒に規定された状態（波形表示領域の一方の端部から他方の端部までの間に１０秒分の信号波形を表示するように規定された状態）において、信号波形を表示させるべき波形データの記録時間長が上記の基準表示時間長とは無関係な例えば１７秒となることがある。
【０００５】
この場合、上記の例において、信号波形の表示倍率として「等倍」を選択したときには、１７秒分の波形データのうちの任意の１０秒分の波形データ（例えば、記録開始時点から記録開始後１０秒が経過するまでの間の１０秒分の波形データ）に基づく信号波形（１０秒分の信号波形）が波形表示領域に表示される。このため、１７秒分の波形データに基づく信号波形のすべて（１７秒分の信号波形）を参照するには、例えば波形表示領域内の信号波形を時間軸方向にスクロールさせる必要がある。したがって、従来の波形表示装置では、信号波形の全体を表示させるための操作が煩雑であるという問題点がある。
【０００６】
一方、上記の例において、信号波形の表示倍率として「１／２倍」を選択することにより、１７秒分の信号波形の全体を波形表示領域内に表示させることができる。しかしながら、基準表示時間長が１０秒に規定された波形表示領域内に「１／２倍」の表示倍率で信号波形を表示させるときには、２０秒分の信号波形を波形表示領域内に表示させることができるにも拘わらず、上記の例では、１７秒分の波形データしか存在しないため、（２０−１７）＝３秒分だけ、波形表示領域内に信号波形が表示されない余白領域が生じることとなる。この場合、この種の波形表示装置では、装置が大形化する事態を回避するために、ある程度小さな（表示可能領域が狭い）表示器が搭載される傾向がある。したがって、従来の波形表示装置では、貴重な表示可能領域内に信号波形が表示されない余白領域が生じる現状を改善すべきとの課題が存在する。
【０００７】
本発明は、かかる問題点や改善すべき課題に鑑みてなされたものであり、煩雑な操作を行うことなく、しかも、波形表示領域内に不要な余白領域を生じさせることのないように、波形データに基づく信号波形の全体を波形表示領域に表示させ得る波形表示装置および波形表示方法を提供することを主目的とする。
【課題を解決するための手段】
【０００８】
上記目的を達成すべく請求項１記載の波形表示装置は、波形データに基づいて所定時間長の信号波形を波形表示領域に表示させる制御部を備えた波形表示装置であって、前記制御部が、前記波形表示領域に規定されている前記信号波形の基準表示時間長よりも前記波形データの記録時間長が長いときに、前記波形表示領域における時間軸方向の全域に亘って当該記録時間長の前記信号波形が表示される第１の表示倍率で当該波形データに基づく前記信号波形を当該時間軸方向に縮小して当該波形表示領域に表示させる。なお、本発明における「波形表示領域に規定されている信号波形の基準表示時間長」とは、「波形表示領域に信号波形を表示させる際の基準の時間長」であって、具体的には、一例として、「基準表示時間長が１０秒（１０ｓ）に規定されている」との状態は、「時間軸方向の表示倍率が等倍（１倍）となるように記録時間長が１０秒分の信号波形を表示させたときに、その信号波形が波形表示領域における時間軸方向の全域に表示されるように規定された状態」を意味する。この場合、基準表示時間長は、波形表示装置の製造時に波形表示装置に固有の（固定的な）時間長として規定される時間長だけでなく、波形表示装置の利用者が、基準値として設定した時間長がこれに含まれる。
【０００９】
また、請求項２記載の波形表示装置は、請求項１記載の波形表示装置において、入力信号についての電気的パラメータを測定して前記波形データを出力する測定処理を実行する測定部を備え、前記制御部が、前記測定部による前記測定処理と並行して、前記測定部から出力されている前記波形データに基づく信号波形を前記第１の表示倍率で前記時間軸方向に縮小して前記波形表示領域に表示させる。
【００１０】
さらに、請求項３記載の波形表示装置は、請求項１記載の波形表示装置において、前記制御部が、前記基準表示時間長よりも前記記録時間長が短いときに、前記波形表示領域における前記時間軸方向の全域に亘って当該記録時間長の前記信号波形が表示される第２の表示倍率で前記波形データに基づく前記信号波形を当該時間軸方向に拡大して当該波形表示領域に表示させる。
【００１１】
また、請求項４記載の波形表示装置は、請求項３記載の波形表示装置において、入力信号についての電気的パラメータを測定して前記波形データを出力する測定処理を実行する測定部を備え、前記制御部が、前記測定部による前記測定処理と並行して、前記測定部から出力されている前記波形データに基づく信号波形を前記第２の表示倍率で前記時間軸方向に拡大して前記波形表示領域に表示させる。
【００１２】
また、請求項５記載の波形表示方法は、波形データに基づいて所定時間長の信号波形を波形表示領域に表示させる波形表示方法であって、前記波形表示領域に規定されている前記信号波形の基準表示時間長よりも前記波形データの記録時間長が長いときに、前記波形表示領域における時間軸方向の全域に亘って当該記録時間長の前記信号波形が表示される第１の表示倍率で当該波形データに基づく前記信号波形を当該時間軸方向に縮小して当該波形表示領域に表示させる。
【００１３】
さらに、請求項６記載の波形表示方法は、請求項５記載の波形表示方法において、入力信号についての電気的パラメータを測定して前記波形データを出力する測定処理を実行すると共に、当該測定処理と並行して、出力されている前記波形データに基づく信号波形を前記第１の表示倍率で前記時間軸方向に縮小して前記波形表示領域に表示させる。
【００１４】
また、請求項７記載の波形表示方法は、請求項５記載の波形表示方法において、前記基準表示時間長よりも前記記録時間長が短いときに、前記波形表示領域における前記時間軸方向の全域に亘って当該記録時間長の前記信号波形が表示される第２の表示倍率で前記波形データに基づく前記信号波形を当該時間軸方向に拡大して当該波形表示領域に表示させる。
【００１５】
さらに、請求項８記載の波形表示方法は、請求項７記載の波形表示方法において、入力信号についての電気的パラメータを測定して前記波形データを出力する測定処理を実行すると共に、当該測定処理と並行して、出力されている前記波形データに基づく信号波形を前記第２の表示倍率で前記時間軸方向に拡大して前記波形表示領域に表示させる。
【発明の効果】
【００１６】
請求項１記載の波形表示装置および請求項５記載の波形表示方法によれば、波形表示領域に規定されている信号波形の基準表示時間長よりも波形データの記録時間長が長いときに、波形表示領域における時間軸方向の全域に亘って記録時間長の信号波形が表示される第１の表示倍率で波形データに基づく信号波形を時間軸方向に縮小して波形表示領域に表示させることにより、波形データの記録時間長が基準表示時間長領域よりも長いときに、信号波形を時間軸方向にスクロールさせるなどの煩雑な操作を行うことなく、しかも、波形表示領域内に不要な余白領域を生じさせることなく、記録時間長分の波形データに基づく信号波形の全体を波形表示領域に表示させることができる。このため、操作に不慣れな利用者であっても、非常に見易い信号波形を迅速かつ容易に表示させることができる。
【００１７】
また、請求項２記載の波形表示装置および請求項６記載の波形表示方法によれば、測定処理と並行して、測定処理によって出力されている波形データに基づく信号波形を第１の表示倍率で時間軸方向に縮小して波形表示領域に表示させることにより、既に記録された波形データに基づく信号波形を表示させるときだけではなく、波形データの記録処理（測定処理）と並行して信号波形をリアルタイムで表示させるときにも、波形表示領域内に不要な余白領域を生じさせることなく、記録時間長分の波形データに基づく信号波形を縮小表示させることができる。
【００１８】
さらに、請求項３記載の波形表示装置および前記７記載の波形表示方法によれば、基準表示時間長よりも記録時間長が短いときに、波形表示領域における時間軸方向の全域に亘って記録時間長の信号波形が表示される第２の表示倍率で波形データに基づく信号波形を時間軸方向に拡大して波形表示領域に表示させることにより、波形データの記録時間長が基準表示時間長領域よりも短いときに、波形表示領域内に不要な余白領域を生じさせることなく、記録時間長分の波形データに基づく信号波形の全体を波形表示領域に十分に大きく表示させることができる。このため、操作に不慣れな利用者であっても、非常に見易い信号波形を迅速かつ容易に表示させることができる。
【００１９】
また、請求項４記載の波形表示装置および請求項８記載の波形表示方法によれば、測定処理と並行して、測定処理によって出力されている波形データに基づく信号波形を第２の表示倍率で時間軸方向に拡大して波形表示領域に表示させることにより、既に記録された波形データに基づく信号波形を表示させるときだけではなく、波形データの記録処理（測定処理）と並行して信号波形をリアルタイムで表示させるときにも、波形表示領域内に不要な余白領域を生じさせることなく、記録時間長分の波形データに基づく信号波形を拡大表示させることができる。
【図面の簡単な説明】
【００２０】
【図１】波形表示装置１のブロック図である。
【図２】入力信号Ｓ１，Ｓ２と記録時間長Ｔｎとの関係について説明するための説明図である。
【図３】波形表示処理２０のフローチャートである。
【図４】記録時間長Ｔｎ＝３秒（３ｓ）の時点までの波形データＤ１，Ｄ２に基づく信号波形Ｗ１，Ｗ２を波形表示領域１１に通常表示させた信号波形表示画面１０の表示画面図である。
【図５】記録時間長Ｔｎ＝６秒（６ｓ）の時点までの波形データＤ１，Ｄ２に基づく信号波形Ｗ１，Ｗ２を波形表示領域１１に通常表示させた信号波形表示画面１０の表示画面図である。
【図６】記録時間長Ｔｎ＝６秒（６ｓ）の時点までの波形データＤ１，Ｄ２に基づく信号波形Ｗ１，Ｗ２を波形表示領域１１に拡大表示させた信号波形表示画面１０の表示画面図である。
【図７】記録時間長Ｔｎ＝１０秒（１０ｓ）の時点までの波形データＤ１，Ｄ２に基づく信号波形Ｗ１，Ｗ２を波形表示領域１１に通常表示させた信号波形表示画面１０の表示画面図である。
【図８】記録時間長Ｔｎ＝７秒（７ｓ）の時点から記録時間長Ｔｎ＝１７秒（１７ｓ）の時点までの１０秒分の波形データＤ１，Ｄ２に基づく信号波形Ｗ１，Ｗ２を波形表示領域１１に通常表示させた信号波形表示画面１０の表示画面図である。
【図９】記録時間長Ｔｎ＝１７秒（１７ｓ）の時点までの波形データＤ１，Ｄ２に基づく信号波形Ｗ１，Ｗ２を波形表示領域１１に縮小表示させた信号波形表示画面１０の表示画面図である。
【図１０】波形表示処理３０のフローチャートである。
【図１１】記録時間長Ｔｎ＝１２秒（１２ｓ）の時点までの波形データＤ１，Ｄ２に基づく信号波形Ｗ１，Ｗ２を波形表示領域１１に縮小表示させた信号波形表示画面１０の表示画面図である。
【図１２】記録時間長Ｔｎ＝１４秒（１４ｓ）の時点までの波形データＤ１，Ｄ２に基づく信号波形Ｗ１，Ｗ２を波形表示領域１１に縮小表示させた信号波形表示画面１０の表示画面図である。
【図１３】波形表示処理４０のフローチャートである。
【図１４】記録時間長Ｔｎ＝３秒（３ｓ）の時点までの波形データＤ１，Ｄ２に基づく信号波形Ｗ１，Ｗ２を波形表示領域１１に拡大表示させた信号波形表示画面１０の表示画面図である。
【発明を実施するための形態】
【００２１】
以下、本発明に係る波形表示装置および波形表示方法の実施の形態について、添付図面を参照して説明する。
【００２２】
図１に示す波形表示装置１は、本発明に係る波形表示装置の一例であって、測定部２、操作部３、表示部４、記憶部５および制御部６を備え、本発明に係る波形表示方法に従って信号波形Ｗ１，Ｗ２（図９参照）を表示部４に表示可能に構成されている。測定部２は、本発明における測定部の一例であって、一例として、「ＣＨ１」および「ＣＨ２」の２つの測定チャンネルを備えている。この測定部２は、制御部６の制御に従い、入力信号Ｓ１，Ｓ２（図２参照）についての電気的パラメータ（一例として、電圧値、電流値および位相等）を測定して波形データＤ１，Ｄ２（電気的パラメータの測定データ：本発明における波形データの一例）を生成し、生成した波形データＤ１，Ｄ２を制御部６に出力する測定処理を実行する。操作部３は、波形表示装置１の動作条件を設定するための操作スイッチや、波形データＤ１，Ｄ２の記録を開始／終了するためのスタートスイッチおよびストップスイッチ等の各種操作スイッチ（図示せず）を備え、スイッチ操作に応じた操作信号を制御部６に出力する。
【００２３】
表示部４は、制御部６の制御に従い、波形表示装置１の動作条件を設定するための動作条件設定画面（図示せず）や、信号波形Ｗ１，Ｗ２を表示する信号波形表示画面１０（図４〜９参照）を表示する。この場合、例えば、図４に示すように、信号波形表示画面１０は、信号波形Ｗ１，Ｗ２を表示するための波形表示領域１１と、波形表示領域１１に表示されている信号波形Ｗ１，Ｗ２が上記の「ＣＨ１」および「ＣＨ２」のいずれの測定チャンネルで測定された波形データに基づく信号波形であるか（波形データＤ１，Ｄ２のいずれに基づく信号波形であるか）を示すチャンネル表示領域１２と、波形表示領域１１に表示されている信号波形Ｗ１，Ｗ２が測定開始時点からどの程度経過した時点に測定された波形データＤ１，Ｄ２に基づく信号波形であるかを示す経過時間表示領域１３とが規定されて構成されている。なお、この波形表示装置１では、一例として、上記の波形表示領域１１の基準表示時間長（以下、「基準表示時間長Ｔｓ」ともいう）が１０秒に規定されている。したがって、後述するようにして、波形表示領域１１に信号波形Ｗ１，Ｗ２を等倍で通常表示させたときには、１０秒分の波形データＤ１，Ｄ２に基づく信号波形Ｗ１，Ｗ２が波形表示領域１１の左端から右端までの全域に表示される。
【００２４】
記憶部５は、測定部２から出力された波形データＤ１，Ｄ２を制御部６の制御に従って記憶する。制御部６は、本発明における制御部の一例であって、波形表示装置１を総括的に制御する。この制御部６は、後述するようにして、図３に示す波形表示処理２０、図１０に示す波形表示処理３０、および図１３に示す波形表示処理４０のいずれか選択された１つ（利用者によって設定された動作モードに対応する処理）を実行する。具体的には、制御部６は、測定部２を制御して入力信号Ｓ１，Ｓ２についての測定処理（入力信号Ｓ１，Ｓ２に対応する波形データＤ１，Ｄ２の生成処理）を実行させると共に、測定部２から出力された波形データＤ１，Ｄ２を記憶部５に記憶させる（「記録処理」の実行）。また、制御部６は、記憶部５に記憶させた波形データＤ１，Ｄ２に基づく信号波形Ｗ１，Ｗ２を表示部４における信号波形表示画面１０内の波形表示領域１１に表示させる。
【００２５】
次に、波形表示装置１による信号波形Ｗ１，Ｗ２の表示処理について、添付図面を参照して説明する。
【００２６】
この波形表示装置１では、入力信号Ｓ１，Ｓ２に基づく波形データＤ１，Ｄ２の記録処理と並行して記録済みの波形データＤ１，Ｄ２に基づく信号波形Ｗ１，Ｗ２を信号波形表示画面１０の波形表示領域１１に表示させる表示処理と、入力信号Ｓ１，Ｓ２に基づく波形データＤ１，Ｄ２の記録処理が完了した後に記録済みの波形データＤ１，Ｄ２に基づく信号波形Ｗ１，Ｗ２を信号波形表示画面１０の波形表示領域１１に表示させる表示処理との２種類の表示処理を実行することができる。また、記録処理と並行して実行する表示処理については、信号波形Ｗ１，Ｗ２を時間軸方向に拡大または縮小せずに従来の波形表示装置と同様に例えば等倍で表示する通常表示（予め規定された基準表示時間長Ｔｓと、波形表示領域１１内に表示可能な信号波形Ｗ１，Ｗ２の最大記録時間長とを一致させるように設定した状態での表示（この例では、波形表示領域１１内に表示可能な信号波形Ｗ１，Ｗ２の最大記録時間長を基準表示時間長Ｔｓと等しい１０秒に設定した状態での表示））と、本発明に係る波形表示方法に従って信号波形Ｗ１，Ｗ２を時間軸方向に拡大または縮小して表示する拡縮表示（拡大表示または縮小表示）との２種類の態様のいずれかを選択することができる。以下、本発明についての理解を容易とするために、まず、記録処理と並行して実行する表示処理時には通常表示を行い、記録処理の完了後に実行する表示処理に際して本発明に係る波形表示方法に従って信号波形Ｗ１，Ｗ２を表示する形態（以下、「第１の形態」ともいう）について説明する。
【００２７】
第１の形態では、操作部３のスタートスイッチ（図示せず）が操作されたときに、制御部６が、図３に示す波形表示処理２０を開始する。この波形表示処理２０では、制御部６は、まず、測定部２を制御して入力信号Ｓ１，Ｓ２についての電気的パラメータの測定処理を開始させると共に、測定部２から出力された波形データＤ１，Ｄ２を記憶部５に順次記憶させる（波形データＤ１，Ｄ２の記録処理：ステップ２１）。次いで、制御部６は、表示部４に信号波形表示画面１０を表示させると共に、記憶部５に記憶させた波形データＤ１，Ｄ２に基づく信号波形Ｗ１，Ｗ２を信号波形表示画面１０の波形表示領域１１内に通常表示させる（ステップ２２）。この場合、前述したように、この波形表示装置１では、波形表示領域１１の基準表示時間長Ｔｓが１０秒に規定されている。したがって、波形データＤ１，Ｄ２の記録処理を開始した時点から例えば３秒が経過した時点においては、図４に示すように、波形表示領域１１における左側の３／１０の範囲に３秒分の波形データＤ１，Ｄ２に基づく信号波形Ｗ１，Ｗ２が表示された状態となる。
【００２８】
次いで、制御部６は、波形データＤ１，Ｄ２の記録を完了したか否か（波形データＤ１，Ｄ２の記録終了条件が満たされたか否か）を判別する（ステップ２３）。この際に、記録終了条件が満たされていないと判別したときには、制御部６は、測定部２から出力される波形データＤ１，Ｄ２を記憶部５に記憶させると共に（ステップ２１）、記憶させた波形データＤ１，Ｄ２に基づく信号波形Ｗ１，Ｗ２を波形表示領域１１に表示させる（ステップ２２）。この結果、波形データＤ１，Ｄ２の記録処理を開始した時点から例えば６秒が経過した時点においては、図５に示すように、波形表示領域１１における左側の６／１０の範囲に６秒分の波形データＤ１，Ｄ２に基づく信号波形Ｗ１，Ｗ２が表示された状態となる。
【００２９】
この場合、波形データＤ１，Ｄ２の記録処理開始時から例えば６秒が経過した時点において、例えば操作部３のストップスイッチ（図示せず）が操作されたときには、制御部６は、波形データＤ１，Ｄ２の記録終了条件が満たされた（記録すべき波形データＤ１，Ｄ２の記録が完了した）と判別する（ステップ２３）。次いで、制御部６は、波形データＤ１，Ｄ２の記録時間長（以下、「記録時間長Ｔｎ」ともいう）と、波形表示領域１１の基準表示時間長Ｔｓとが等しいか否かを判別する（ステップ２４）。この例では、制御部６は、記録時間長Ｔｎ（６秒）が基準表示時間長Ｔｓ（１０秒）よりも短いと判別する（記録時間長Ｔｎと基準表示時間長Ｔｓとが等しくない状態の一例）。
【００３０】
また、記録時間長Ｔｎが基準表示時間長Ｔｓよりも短いと判別したときには、制御部６は、図６に示すように、記録時間長Ｔｎ分の波形データＤ１，Ｄ２に基づく信号波形Ｗ１，Ｗ２を基準表示時間長Ｔｓ／記録時間長Ｔｎ倍（本発明における「第２の表示倍率」の一例：この例では、基準表示時間長を記録時間長で除した値の倍率）で時間軸方向に拡大して波形表示領域１１に表示させ（ステップ２５）、この波形表示処理２０を終了する。この結果、波形表示領域１１内に不要な余白領域を生じさせることなく、基準表示時間長Ｔｓよりも短い記録時間長Ｔｎ分の波形データＤ１，Ｄ２に基づく信号波形Ｗ１，Ｗ２の全体が波形表示領域１１内に十分に大きく表示される。なお、上記の例では、記録時間長Ｔｎが基準表示時間長Ｔｓよりも短いと判別したときに、制御部６が、直ちに本発明における第２の表示倍率で信号波形Ｗ１，Ｗ２を時間軸方向に拡大して波形表示領域１１に表示させる例について説明したが、本発明はこれに限定されず、制御部６が、記録時間長Ｔｎが基準表示時間長Ｔｓよりも短いと判別した後に、予め規定されたスイッチ操作が行われたときに、本発明における第２の表示倍率で信号波形Ｗ１，Ｗ２を時間軸方向に拡大して表示させることもできる。
【００３１】
また、上記の例において波形データＤ１，Ｄ２の記録開始時から６秒が経過した時点においてストップスイッチが操作されることなく波形表示処理２０が継続して実行されて、記録開始時から例えば１０秒が経過した時点においてストップスイッチが操作されたときには、制御部６は、記録終了条件が満たされた（記録が完了した）と判別し（ステップ２３）、記録時間長Ｔｎと、基準表示時間長Ｔｓとが等しいか否かを判別する（ステップ２４）。この例では、制御部６は、記録時間長Ｔｎ（１０秒）が基準表示時間長Ｔｓ（１０秒）と等しいと判別する。
【００３２】
この場合、記録時間長Ｔｎと基準表示時間長Ｔｓとが等しいこの例では、前述した測定処理と並行して実行される信号波形Ｗ１，Ｗ２の通常表示（ステップ２２）において、図７に示すように、波形表示領域１１における左端から右端までの全域に１０秒分の波形データＤ１，Ｄ２に基づく信号波形Ｗ１，Ｗ２が表示された状態となる。したがって、記録時間長Ｔｎと基準表示時間長Ｔｓとが等しいと判別したときには、制御部６は、図７に示す信号波形Ｗ１，Ｗ２の表示状態を維持したまま、この波形表示処理２０を終了する。この結果、波形表示領域１１内に不要な余白領域を生じさせることなく、基準表示時間長Ｔｓと等しい記録時間長Ｔｎ分の波形データＤ１，Ｄ２に基づく信号波形Ｗ１，Ｗ２の全体が波形表示領域１１内に十分に大きく表示された状態が維持される。
【００３３】
一方、上記の例において、波形データＤ１，Ｄ２の記録開始時から６秒が経過した時点、または１０秒が経過した時点においてストップスイッチが操作されることなく波形表示処理２０が継続して実行されて、記録開始時から例えば１７秒が経過した時点においてストップスイッチが操作されたときには、制御部６は、記録終了条件が満たされた（記録が完了した）と判別し（ステップ２３）、記録時間長Ｔｎと、基準表示時間長Ｔｓとが等しいか否かを判別する（ステップ２４）。この例では、制御部６は、記録時間長Ｔｎ（１７秒）が基準表示時間長Ｔｓ（１０秒）よりも長いと判別する（記録時間長Ｔｎと基準表示時間長Ｔｓとが等しくない状態の他の一例）。
【００３４】
この場合、記録時間長Ｔｎが基準表示時間長Ｔｓよりも長いこの例では、前述した測定処理と並行して実行される信号波形Ｗ１，Ｗ２の通常表示（ステップ２２）において、図８に示すように、波形表示領域１１における左端から右端までの全域に波形データＤ１，Ｄ２の記録処理を終了する直前の１０秒分（この例では、記録開始から７秒が経過した時点からの１０秒分）の波形データＤ１，Ｄ２に基づく信号波形Ｗ１，Ｗ２が表示された状態となる。このため、この例では、記録開始時点から７秒が経過するまでの７秒間の波形データＤ１，Ｄ２に基づく信号波形Ｗ１，Ｗ２が非表示となっている。
【００３５】
したがって、制御部６は、記録時間長Ｔｎが基準表示時間長Ｔｓよりも長いと判別したときには、図９に示すように、記録時間長Ｔｎ分の波形データＤ１，Ｄ２に基づく信号波形Ｗ１，Ｗ２を基準表示時間長Ｔｓ／記録時間長Ｔｎ倍（本発明における「第１の表示倍率」の一例：この例では、基準表示時間長を記録時間長で除した値の倍率）で時間軸方向に縮小して波形表示領域１１に表示させ（ステップ２５）、この波形表示処理２０を終了する。この結果、波形表示領域１１内に不要な余白領域を生じさせることなく、基準表示時間長Ｔｓよりも長い記録時間長Ｔｎ分の波形データＤ１，Ｄ２に基づく信号波形Ｗ１，Ｗ２の全体が波形表示領域１１内に十分に大きく表示される。なお、上記の例では、記録時間長Ｔｎが基準表示時間長Ｔｓよりも長いと判別したときに、制御部６が、直ちに本発明における第１の表示倍率で信号波形Ｗ１，Ｗ２を時間軸方向に縮小して波形表示領域１１に表示させる例について説明したが、本発明はこれに限定されず、制御部６が、記録時間長Ｔｎが基準表示時間長Ｔｓよりも長いと判別した後に、予め規定されたスイッチ操作が行われたときに、本発明における第１の表示倍率で信号波形Ｗ１，Ｗ２を時間軸方向に縮小して表示させることもできる。
【００３６】
一方、前述したように、この波形表示装置１では、波形データＤ１，Ｄ２の記録処理と並行して実行する表示処理に際して、本発明に係る波形表示方法に従って信号波形Ｗ１，Ｗ２を時間軸方向に拡大または縮小して表示する拡縮表示を実行することができるように構成されている。また、この波形表示装置１では、記録処理と並行して実行する表示処理に際して実行する拡縮表示方法として、以下の第２の形態および第３の形態のいずれかを選択して実行させることができるように構成されている。
【００３７】
具体的には、第２の形態では、操作部３のスタートスイッチ（図示せず）が操作されたときに、制御部６が、図１０に示す波形表示処理３０を開始する。この波形表示処理３０では、制御部６は、まず、前述した波形表示処理２０と同様にして、測定部２を制御して入力信号Ｓ１，Ｓ２についての電気的パラメータの測定処理を開始させると共に、測定部２から出力された波形データＤ１，Ｄ２を記憶部５に順次記憶させる（波形データＤ１，Ｄ２の記録処理：ステップ３１）。次いで、制御部６は、波形データＤ１，Ｄ２の記録時間長Ｔｎが基準表示時間長Ｔｓを超えたか否か（記録時間長Ｔｎが基準表示時間長Ｔｓよりも長いか否か）を判別する（ステップ３２）。
【００３８】
この場合、波形データＤ１，Ｄ２の記録時間長Ｔｎが基準表示時間長Ｔｓ以下の場合（例えば、記録開始時点から３秒が経過した時点、６秒が経過した時点、または１０秒が経過した時点）には、前述した波形表示処理２０における記録処理時の信号波形Ｗ１，Ｗ２の通常表示と同様にして、記録時間長Ｔｎ分の波形データＤ１，Ｄ２に基づく信号波形Ｗ１，Ｗ２を信号波形表示画面１０内の波形表示領域１１に通常表示させる（ステップ３３）。これにより、図４，５，７に示すように、記録時間長Ｔｎ分の波形データＤ１，Ｄ２に基づく信号波形Ｗ１，Ｗ２が波形表示領域１１内に等倍表示される。次いで、制御部６は、波形データＤ１，Ｄ２の記録を完了していない（記録終了条件が満たされていない）と判別し（ステップ３４）、波形データＤ１，Ｄ２の記録を継続して実行する（ステップ３１）。
【００３９】
また、波形データＤ１，Ｄ２の記録時間長Ｔｎが基準表示時間長Ｔｓを超えたときには（例えば、記録開始時点から１２秒が経過したとき：ステップ３２）、制御部６は、図１１に示すように、記録時間長Ｔｎ分の波形データＤ１，Ｄ２に基づく信号波形Ｗ１，Ｗ２を基準表示時間長Ｔｓ／記録時間長Ｔｎ倍（本発明における「第１の表示倍率」の他の一例：この例では、基準表示時間長を記録時間長で除した値の倍率）で時間軸方向に縮小して波形表示領域１１に表示させる（ステップ３５）。これにより、波形表示領域１１における左端から右端までの全域に１２秒分の波形データＤ１，Ｄ２に基づく信号波形Ｗ１，Ｗ２の全体が表示された状態となる。
【００４０】
また、波形データＤ１，Ｄ２の記録開始から１７秒が経過した時点において操作部３のストップスイッチが操作されたときには、制御部６は、波形データＤ１，Ｄ２の記録終了条件が満たされた（記録すべき波形データＤ１，Ｄ２の記録が完了した）と判別し（ステップ３４）、この波形表示処理３０を終了する。この場合、波形データＤ１，Ｄ２の記録処理と並行して実行する表示処理時において、記録時間長Ｔｎが基準表示時間長Ｔｓを超えたときに記録時間長Ｔｎ分の信号波形Ｗ１，Ｗ２を「基準表示時間長Ｔｓ／記録時間長Ｔｎ倍」で時間軸方向に縮小して表示させるこの例では、記録処理の終了直前に実行した信号波形Ｗ１，Ｗ２の縮小表示によって、図１２に示すように、処理開始時点から終了時点までの１７秒分の波形データＤ１，Ｄ２に基づく信号波形Ｗ１，Ｗ２が「基準表示時間長Ｔｓ／記録時間長Ｔｎ倍（この例では、１０／１７）」で時間軸方向に縮小されて表示された状態となる。
【００４１】
このように、第２の形態では、波形データＤ１，Ｄ２の記録処理と並行して実行する表示処理に際して、波形データＤ１，Ｄ２の記録時間長Ｔｎが基準表示時間長Ｔｓ以下のときには、前述した第１の形態と同様に記録時間長Ｔｎ分の波形データＤ１，Ｄ２に基づく信号波形Ｗ１，Ｗ２が波形表示領域１１に等倍で通常表示され、波形データＤ１，Ｄ２の記録時間長Ｔｎが基準表示時間長Ｔｓを超えたとき（記録時間長Ｔｎが基準表示時間長Ｔｓよりも長いとき）には、記録時間長Ｔｎ分の波形データＤ１，Ｄ２に基づく信号波形Ｗ１，Ｗ２が「基準表示時間長Ｔｓ／記録時間長Ｔｎ倍」で時間軸方向に縮小表示される。一方、第３の形態では、波形データＤ１，Ｄ２の記録処理と並行して実行する表示処理に際して、波形データＤ１，Ｄ２の記録時間長Ｔｎが基準表示時間長Ｔｓ以下のときに、波形表示領域１１の右側に余白領域を生じさせることなく、記録時間長Ｔｎ分の波形データＤ１，Ｄ２に基づく信号波形Ｗ１，Ｗ２を時間軸方向で拡大して表示させる。
【００４２】
具体的には、第３の形態では、操作部３のスタートスイッチ（図示せず）が操作されたときに、制御部６が、図１３に示す波形表示処理４０を開始する。この波形表示処理４０では、制御部６は、まず、前述した波形表示処理２０，３０と同様にして、測定部２を制御して入力信号Ｓ１，Ｓ２についての電気的パラメータの測定処理を開始させると共に、測定部２から出力された波形データＤ１，Ｄ２を記憶部５に順次記憶させる（波形データＤ１，Ｄ２の記録処理：ステップ４１）。次いで、制御部６は、図１４に示すように、記録時間長Ｔｎ分の波形データＤ１，Ｄ２に基づく信号波形Ｗ１，Ｗ２を基準表示時間長Ｔｓ／記録時間長Ｔｎ倍（本発明における「第２の表示倍率」の他の一例：この例では、基準表示時間長を記録時間長で除した値の倍率）で時間軸方向に拡大して波形表示領域１１に表示させる（ステップ４２）。
【００４３】
なお、同図では、一例として、記録開始から３秒が経過した時点（記録時間長Ｔｎ＝３秒が基準表示時間長Ｔｓ以下の状態の一例）の波形データＤ１，Ｄ２に基づく信号波形Ｗ１，Ｗ２を波形表示領域１１に表示させた状態を図示している。これにより、基準表示時間長Ｔｓよりも短い記録時間長Ｔｎ分の波形データＤ１，Ｄ２に基づく信号波形Ｗ１，Ｗ２の全体が波形表示領域１１内に十分に大きく表示される。この後、記録時間長Ｔｎが基準表示時間長Ｔｓ以上となった場合には、上記の波形表示処理３０と同様に信号波形Ｗ１，Ｗ２が波形表示領域１１内に表示される。また、波形データＤ１，Ｄ２の記録開始から例えば１７秒が経過した時点において操作部３のストップスイッチが操作されたときには、制御部６は、波形データＤ１，Ｄ２の記録終了条件が満たされた（記録すべき波形データＤ１，Ｄ２の記録が完了した）と判別し（ステップ４３）、この波形表示処理３０を終了する。
【００４４】
このように、第３の形態では、波形データＤ１，Ｄ２の記録処理と並行して実行する表示処理に際して、波形データＤ１，Ｄ２の記録時間長Ｔｎが基準表示時間長Ｔｓよりも短いときには、波形表示領域１１における時間軸方向の全域に亘って記録時間長Ｔｎの信号波形Ｗ１，Ｗ２が表示される第２の表示倍率で時間軸方向に拡大表示され、波形データＤ１，Ｄ２の記録時間長Ｔｎが基準表示時間長Ｔｓと等しいときには、記録時間長Ｔｎ分の波形データＤ１，Ｄ２に基づく信号波形Ｗ１，Ｗ２が波形表示領域１１に等倍で通常表示され、波形データＤ１，Ｄ２の記録時間長Ｔｎが基準表示時間長Ｔｓを超えたとき（記録時間長Ｔｎが基準表示時間長Ｔｓよりも長いとき）には、前述した第１の形態や第２の形態と同様に記録時間長Ｔｎ分の波形データＤ１，Ｄ２に基づく信号波形Ｗ１，Ｗ２が第１の表示倍率で時間軸方向に縮小表示される。
【００４５】
このように、この波形表示装置１、および波形表示装置１による波形表示方法によれば、波形表示領域１１に規定されている信号波形の基準表示時間長Ｔｓよりも波形データＤ１，Ｄ２の記録時間長Ｔｎが長いときに、波形表示領域１１における時間軸方向の全域に亘って記録時間長Ｔｎの信号波形が表示される第１の表示倍率（この例では、基準表示時間長Ｔｓを記録時間長Ｔｎで除した値の倍率）で波形データＤ１，Ｄ２に基づく信号波形Ｗ１，Ｗ２を時間軸方向に縮小して波形表示領域１１に表示させることにより、波形データＤ１，Ｄ２の記録時間長Ｔｎが基準表示時間長Ｔｓよりも長いときに、信号波形Ｗ１，Ｗ２を時間軸方向にスクロールさせるなどの煩雑な操作を行うことなく、しかも、波形表示領域１１内に不要な余白領域を生じさせることなく、記録時間長Ｔｎ分の波形データＤ１，Ｄ２に基づく信号波形Ｗ１，Ｗ２の全体を波形表示領域１１に表示させることができる。このため、操作に不慣れな利用者であっても、非常に見易い信号波形Ｗ１，Ｗ２を迅速かつ容易に表示させることができる。
【００４６】
また、この波形表示装置１、および波形表示装置１による波形表示方法によれば、測定処理と並行して、測定処理によって出力されている波形データＤ１，Ｄ２に基づく信号波形Ｗ１，Ｗ２を第１の表示倍率で時間軸方向に縮小して波形表示領域１１に表示させることにより、既に記録された波形データＤ１，Ｄ２に基づく信号波形Ｗ１，Ｗ２を表示させるときだけではなく、波形データＤ１，Ｄ２の記録処理（測定処理）と並行して信号波形Ｗ１，Ｗ２をリアルタイムで表示させるときにも、波形表示領域１１内に不要な余白領域を生じさせることなく、記録時間長Ｔｎ分の波形データＤ１，Ｄ２に基づく信号波形Ｗ１，Ｗ２を縮小表示させることができる。
【００４７】
さらに、この波形表示装置１、および波形表示装置１による波形表示方法によれば、基準表示時間長Ｔｓよりも記録時間長Ｔｎが短いときに、波形表示領域１１における時間軸方向の全域に亘って記録時間長Ｔｎの信号波形Ｗ１，Ｗ２が表示される第２の表示倍率（この例では、基準表示時間長Ｔｓを記録時間長Ｔｎで除した値の倍率）で波形データＤ１，Ｄ２に基づく信号波形Ｗ１，Ｗ２を時間軸方向に拡大して波形表示領域１１に表示させることにより、波形データＤ１，Ｄ２の記録時間長Ｔｎが基準表示時間長Ｔｓよりも短いときに、波形表示領域１１内に不要な余白領域を生じさせることなく、記録時間長Ｔｎ分の波形データＤ１，Ｄ２に基づく信号波形Ｗ１，Ｗ２の全体を波形表示領域１１に十分に大きく表示させることができる。このため、操作に不慣れな利用者であっても、非常に見易い信号波形Ｗ１，Ｗ２を迅速かつ容易に表示させることができる。
【００４８】
また、この波形表示装置１、および波形表示装置１による波形表示方法によれば、測定処理と並行して、測定処理によって出力されている波形データＤ１，Ｄ２に基づく信号波形Ｗ１，Ｗ２を第２の表示倍率で時間軸方向に拡大して波形表示領域１１に表示させることにより、既に記録された波形データＤ１，Ｄ２に基づく信号波形Ｗ１，Ｗ２を表示させるときだけではなく、波形データＤ１，Ｄ２の記録処理（測定処理）と並行して信号波形Ｗ１，Ｗ２をリアルタイムで表示させるときにも、波形表示領域１１内に不要な余白領域を生じさせることなく、記録時間長Ｔｎ分の波形データＤ１，Ｄ２に基づく信号波形Ｗ１，Ｗ２を拡大表示させることができる。
【００４９】
なお、本発明は、上記の構成に限定されない。例えば、表示部４を一体的に備えた波形表示装置１を例に挙げて説明したが、本発明における波形表示装置の構成はこれに限定されず、外部装置としての表示装置に本発明に係る波形表示方法に従って信号波形Ｗ１，Ｗ２を表示させる構成を採用することができる。また、本発明における時間軸方向を左右方向に規定した波形表示領域１１に信号波形Ｗ１，Ｗ２を表示させる例について説明したが、時間軸方向を上下方向に規定した波形表示領域（図示せず）に本発明に係る波形表示方法に従って信号波形を表示させる構成を採用することもできる。さらに、操作部３のスタートスイッチが操作されたときに波形データＤ１，Ｄ２の記録処理を開始すると共にストップスイッチが操作されたときに記録処理を終了する例について説明したが、波形データＤ１，Ｄ２の記録開始や終了については、上記の例に限定されず、予め設定した開始条件（時刻、時間および信号レベル等）が満たされたときに記録を開始すると共に、予め設定した終了条件（時刻、時間および信号レベル等）が満たされたときに記録を終了するタイミングで行うこともできる。
【符号の説明】
【００５０】
１  波形表示装置
２  測定部
４  表示部
６  制御部
１０  信号波形表示画面
１１  波形表示領域
２０，３０，４０  波形表示処理
Ｄ１，Ｄ２  波形データ
Ｓ１，Ｓ２  入力信号
Ｔｎ  記録時間長
Ｔｓ  基準表示時間長
Ｗ１，Ｗ２  信号波形
【図１】
2010197120.tif 000003
【図２】
2010197120.tif 000004
【図３】
2010197120.tif 000005
【図４】
2010197120.tif 000006
【図５】
2010197120.tif 000007
【図６】
2010197120.tif 000008
【図７】
2010197120.tif 000009
【図８】
2010197120.tif 000010
【図９】
2010197120.tif 000011
【図１０】
2010197120.tif 000012
【図１１】
2010197120.tif 000013
【図１２】
2010197120.tif 000014
【図１３】
2010197120.tif 000015
【図１４】
2010197120.tif 000016